(57)【要約】【課題】  画素の発光領域と回路領域の配列方法の提供。【解決手段】  周知の技術における回路領域が発生するディスプレイイメージの黒線問題を解決するため、本発明では画素がストライプ状配列されたアクティブディスプレイの回路領域と発光領域を１８０度の鏡面反射形態とし、隣り合う画素間の回路領域と発光領域を交錯するよう配列し、もともと秩序を有する直線配列方式を隣り合う画素で相補し、回路領域を同一コラムの同一直線上に配置させずにディスプレイイメージの黒線による分割の問題を解決する。【選択図】        図９
2005345766.tif 000002
【特許請求の範囲】
【請求項１】
ストライプ状に配列されたディスプレイの画素の発光領域（２３）と回路領域（２４）を配列するための画素の発光領域と回路領域の配列方法において、
左右の隣り合う画素の発光領域（２３）と回路領域（２４）が１８０度の鏡面反射配列され、全体のディスプレイの画素の発光領域（２３）と回路領域（２４）が交錯する均一な離間配列を形成したことを特徴とする、画素の発光領域と回路領域の配列方法。
【請求項２】
請求項１記載の画素の発光領域と回路領域の配列方法において、同一コラムの画素が垂直方向に偏移され、調整後に回路領域（２４）を通る走査線（２２）が調整され、走査線（２２）のレイアウトが直線形状とされたことを特徴とする、画素の発光領域と回路領域の配列方法。
【発明の詳細な説明】
【技術分野】
【０００１】
本発明は画素の発光領域と回路領域の配列方法に係り、特に、ストライプ状配列のアクティブマトリクスディスプレイ画素内部の発光領域と回路領域の配列方法に関する。
【背景技術】
【０００２】
ディスプレイの画素配列方式にはストライプ状、モザイク状及びデルタ状等がある。
【０００３】
ストライプ状配列では、図１のように、ロー（ｒｏｗ）方向に赤光（Ｒ）、緑光（Ｇ）、青光（Ｂ）が現出しその後コラム（ｃｏｌｕｍｎ）方向に重複配列されて、ストライプ配列の表示方式が得られる。
【０００４】
モザイク式配列では、図２のように、ロー方向に配列された赤光（Ｒ）、緑光（Ｇ）、青光（Ｂ）が各ロー間で一つの画素偏移し、即ち第１カラム（Ｃｏｌｕｍｎ１）と第２カラム（Ｃｏｌｕｍｎ２）が相互に一つの同色光を発生する画素分だけずれており、第２カラムと第３カラムも一つの同色光を発生する画素分だけずれている。以下もこれから類推されるとおりである。
【０００５】
デルタ式配列では、図３に示されるように、画素Ｒ、Ｇ、Ｂが一同に１．５個の画素の距離偏移し（ｄｅｖｉａｔｉｏｎ  １．５ｐｉｘｅｌ）、同一の発光色の画素がいずれもずれて離れており、これによりディスプレイ画面を均一とする効果を発生する。
【０００６】
伝統的なアクティブディスプレイの設計では配列方法の多くはストライプ配列とされ、このようなストライプ状配列方法は便利で、整然とし、レイアウトが容易であるため、あまり複雑なレイアウトが必要でないため、現在、薄膜トランジスタ液晶ディスプレイ或いは薄膜トランジスタ有機発光ディスプレイに広く応用されている。ただし整然と一致性を持たせてレイアウトを簡単にするため、同一コラム上のトランジスタレイアウト領域は同一直線上にレイアウトされ、ゆえに回路レイアウトエリアと発光エリアが明らかに分割され、即ち、現在、ストライプ状配列のＲ、Ｇ、Ｂ画素配列方法は、パッシブ式回路（例えばデータ線１１と走査線１２）のレイアウトベース上に構築され、回路領域１４と発光領域１３の影響は考慮されていない。周知のストライプ状配列方式は図４に示されるとおりである。この図より、各ロー（ｒｏｗ）の画素の回路領域１４が形成する暗い不発光領域がディスプレイ画面に明らかな分割線を形成し、このためにディスプレイの表示イメージの品質に影響が生じることが分かる。
【０００７】
ゆえに、周知のストライプ状配列のディスプレイは容易に発光領域１３と不発光領域（回路領域１４）が明暗の区画されたシマウマ状線條を形成して、画面表示に明らかな分割の状況を形成しやすく、特に、回路領域１４のトランジスタ或いはコンデンサの面積が増す時、ディスプレイが回路領域１４で分割される状況が厳重となる。この配列は直観上最も簡単で、文字の表示効果は非常に良好であるが、イメージを表示するフレームの均一性を達成できず、整然としたストライプの配列は使用者の視覚に容易に察知され、レイアウトの発生する線條の黒影により明らかに未発光の領域がわかってしまう。
【０００８】
また、周知のデルタ配列或いはモザイク配列のＲ、Ｇ、Ｂ画素配列方式も、同様に回路領域１４と発光領域１３の配列について考慮されておらず、その方法はいずれも直接画素を図５のように移動させて、全体的にＲ、Ｇ、Ｂ画素を移動することで均一性を達成し、即ちこの方法は発光領域１３と回路領域１４を併せて移動調整する方法により表示イメージの均一性を達成する。しかし同色光を発生する画素同士が離れすぎ、中間に二つのその他の色光の画素があるため、文字の表示上、偏りの問題を発生する。
【発明の開示】
【発明が解決しようとする課題】
【０００９】
本発明の主要な目的は、ストライプ状配列のレイアウト方式の採用により画像の黒色分割線を消去し、これにより良好なイメージ表示効果を獲得できるようにし、また良好な文字表示能力も保有できるようにすることにある。
【００１０】
本発明のもう一つの目的は、回路領域の配列調整により、それを走査線上にあって共線としてレイアウトに便利とすることにある。
【課題を解決するための手段】
【００１１】
請求項１の考案は、ストライプ状に配列されたディスプレイの画素の発光領域（２３）と回路領域（２４）を配列するための画素の発光領域と回路領域の配列方法において、
左右の隣り合う画素の発光領域（２３）と回路領域（２４）が１８０度の鏡面反射配列され、全体のディスプレイの画素の発光領域（２３）と回路領域（２４）が交錯する均一な離間配列を形成したことを特徴とする、画素の発光領域と回路領域の配列方法としている。
請求項２の考案は、請求項１記載の画素の発光領域と回路領域の配列方法において、同一コラムの画素が垂直方向に偏移され、調整後に回路領域（２４）を通る走査線（２２）が調整され、走査線（２２）のレイアウトが直線形状とされたことを特徴とする、画素の発光領域と回路領域の配列方法としている。
【発明の効果】
【００１２】
本発明は、ストライプ状配列のレイアウト方式の採用により画像の黒色分割線を消去し、これにより良好なイメージ表示効果を獲得できるようにし、また良好な文字表示能力も保有できるようにしている。
【００１３】
本発明はまた、回路領域の配列調整により、それを走査線上にあって共線としてレイアウトに便利としている。
【発明を実施するための最良の形態】
【００１４】
周知の技術における回路領域が発生するディスプレイイメージの黒線問題を解決するため、本発明では画素がストライプ状配列されたアクティブディスプレイの回路領域と発光領域を１８０度の鏡面反射形態とし、隣り合う画素間の回路領域と発光領域を交錯するよう配列し、もともと秩序を有する直線配列方式を隣り合う画素で相補し、回路領域を同一コラムの同一直線上に配置させずにディスプレイイメージの黒線による分割の問題を解決する。
【実施例１】
【００１５】
図６は本発明の画素の発光領域（２３）と回路領域（２４）の配列表示図である。本発明は画素内部の回路位置と発光位置の配置により、全体の色の分布を均一とし、これにより容易に察知される同じ特徴を分散して全ての不発光領域（回路領域（２４））を分散し、即ち、ストライプ状配列のディスプレイにあって、左右に隣り合う画素の発光領域（２３）と回路領域（２４）を１８０度鏡面反射配列し、発光領域（２３）と回路領域（２４）が均一に交錯する離間配列を形成する。即ち、Ｒ画素と隣り合うＧ画素の位相差を１８０度とし、上述のＧ画素と隣り合うＢ画素の位相差もまた１８０度とし、他もこれより類推されるとおりとする。周知のストライプ状配列のディスプレイの表示時の黒線領域は近隣の画素の発光領域（２３）により裁断され、これにより発光領域（２３）と不発光領域（回路領域（２４））の混合が形成され、これにより表示される画面を均一とし、回路領域（２４）の形成する黒線のもたらす分割効果を低減する。また、回路領域（２４）のトランジスタ或いはコンデンサ面積が増す時、発光領域（２３）と回路領域（２４）は相対比例は５０：５０と３３：６７の配列とされ、図７、８に示されるとおりである。
【００１６】
図９に示されるのは、本発明の画素の発光領域（２３）と回路領域（２４）の配列とレイアウト実施例である。本発明は左右の隣り合う画素が１８０度の鏡面反射配列とされ、発光領域（２３）と回路領域（２４）が均一に交錯することによる表示効果を形成する。このとき、Ｒ画素と隣り合うＧ画素の位相差は１８０度で、上述のＧ画素はまたそれと隣り合うＢ画素との位相差が１８０度とされ、そのデータ線（２１）と走査線（２２）は回路領域（２４）に沿ってレイアウトされる。左側の第１コラムＣ１に赤色Ｒ画素が配置されそれと隣り合う第２コラムＣ２に緑色Ｇ画素が配置され、この２つのコラムの隣り合う画素の発光領域（２３）と回路領域（２４）の位相差は１８０度で、即ち１８０度の鏡面反射を利用して一組の相補の画素セット（奇数カラムの画素の発光領域（２３）と回路領域（２４）を固定し、偶数カラムの画素の発光領域（２３）と回路領域（２４）を１８０度回転させる）が得られ、この方法を利用してＣ２、Ｃ４、Ｃ６、Ｃ８．．ＣＭカラムの画素の発光領域（２３）と回路領域（２４）を１８０度回転させて新たに組合せて配列し、その後、順に充填すれば全体として均一なＲ、Ｇ、Ｂ画素のディスプレイ画素の配列が得られる。我々は同一ロー（Ｒ１、Ｒ２．．．ＲＮ）の発光領域（２３）と回路領域（２４）が交錯し相互に離間することに気づく。
【００１７】
また、本発明はさらに同一カラムの画素の垂直方向（データ線方向）を偏移させ、そのうち偏移距離を回路領域（２４）の垂直距離とし、回路領域（２４）を通過する走査線（２２）を調整し、もとの図９のクランク形状から直線形状に修正して図１０のようにすることができる。これはレイアウトに便利であり、マスクチェック時のミスを減らし、工程条件の形状堆積、形状エッチングの不完全な制御性を防止し、走査線（２２）とデータ線（２１）を垂直と水平配列させ、工程の不良因子を除去する。
【００１８】
現在、携帯電話、ＰＤＡ或いはその他のポータブル電子ディスプレイ製品に関しては、大量のイメージ表示機能がこのような製品において急速に成長しており、使用者が受け取る情報は、イメージ形式情報が文字情報より必然的に多い。本発明の発光領域（２３）と回路領域（２４）のストライプ状配列は、１８０度の鏡面反射を呈し交錯し、即ち発光領域（２３）と回路領域（２４）の配置により線條がフレームを分割する問題を解決でき、並びに周知のデルタ式配列画素の左右の位置偏移の必要がなく、ディスプレイイメージを均一とし、また良好な文字表示効果も保有する。
【図面の簡単な説明】
【００１９】
【図１】周知の画素のストライプ状配列の表示図である。
【図２】周知の画素のモザイク状配列の表示図である。
【図３】周知の画素のデルタ状配列の表示図である。
【図４】周知のストライプ状配列のレイアウト表示図である。
【図５】周知のデルタ状配列された画素の発光領域と回路領域の配列表示図である。
【図６】本発明の画素の発光領域と回路領域の配列表示図である。
【図７】本発明の画素の発光領域と回路領域が（５０：５０）とされた配列表示図である。
【図８】本発明の画素の発光領域と回路領域が（３３：６７）とされた配列表示図である。
【図９】本発明の画素の発光領域と回路領域とレイアウトの実施例図である。
【図１０】本発明の画素の発光領域と回路領域とレイアウトの別の実施例図である。
【符号の説明】
【００２０】
（２１）データ線
（２２）走査線
（２３）発光領域
（２４）回路領域
【図１】
2005345766.tif 000003
【図２】
2005345766.tif 000004
【図３】
2005345766.tif 000005
【図４】
2005345766.tif 000006
【図５】
2005345766.tif 000007
【図６】
2005345766.tif 000008
【図７】
2005345766.tif 000009
【図８】
2005345766.tif 000010
【図９】
2005345766.tif 000011
【図１０】
2005345766.tif 000012